【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
予め定められた周波数帯域幅を有する要素周波数帯域を１個以上用いて信号の送信を行なう移動局装置であって、
異なる要素周波数帯域でＳＲＳ（Sounding Reference Signal）の送信とＰＵＣＣＨ（Physical Uplink Control Channel）の送信とが同一サブフレームで設定された場合、前記サブフレームの２番目のスロットで系列長が４の直交系列が時間領域で乗算される第１のフォーマットの前記ＰＵＣＣＨを送信して前記ＳＲＳを送信しないように制御し、または、前記サブフレームの２番目のスロットで系列長が３の直交系列が時間領域で乗算される第２のフォーマットの前記ＰＵＣＣＨと前記ＳＲＳとを前記同一サブフレームで送信するように制御することを特徴とする移動局装置。
【請求項２】
前記第１のフォーマットはサブフレームの全てのＳＣ−ＦＤＭＡシンボルが用いられ、前記第２のフォーマットはサブフレームの最後のＳＣ−ＦＤＭＡシンボルを除くＳＣ−ＦＤＭＡシンボルが用いられることを特徴とする請求項１に記載の移動局装置。 
【請求項３】
前記サブフレームが、前記ＰＵＣＣＨの送信が設定された前記要素周波数帯域のＳＲＳサブフレームである場合に、前記第１のフォーマットの前記ＰＵＣＣＨを送信して前記ＳＲＳを送信しないように制御し、または、前記第２のフォーマットの前記ＰＵＣＣＨと前記ＳＲＳを前記同一サブフレームで送信するように制御し、 
前記サブフレームが、前記ＰＵＣＣＨの送信が設定された前記要素周波数帯域のＳＲＳサブフレームではない場合に、前記第１のフォーマットの前記ＰＵＣＣＨを送信して前記ＳＲＳを送信しないように制御することを特徴とする請求項１または請求項２に記載の移動局装置。 
【請求項４】
前記ＰＵＣＣＨは、スケジューリング要求または受信確認応答の送信に用いられるＰＵＣＣＨであることを特徴とする請求項１から請求項３のいずれかに記載の移動局装置。 
【請求項５】
複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう通信方法であって、 
前記移動局装置において、 
異なる要素周波数帯域でＳＲＳ（Sounding Reference Signal）の送信とＰＵＣＣＨ（Physical Uplink Control Channel）の送信とが同一サブフレームで設定された場合、前記サブフレームの２番目のスロットで系列長が４の直交系列が時間領域で乗算される第１のフォーマットの前記ＰＵＣＣＨを送信して前記ＳＲＳを送信しないように制御し、または、前記サブフレームの２番目のスロットで系列長が３の直交系列が時間領域で乗算される第２のフォーマットの前記ＰＵＣＣＨと前記ＳＲＳとを前記同一サブフレームで送信するように制御するステップと、を少なくとも含むことを特徴とする通信方法。 
【請求項６】
前記第１のフォーマットはサブフレームの全てのＳＣ−ＦＤＭＡシンボルが用いられ、前記第２のフォーマットはサブフレームの最後のＳＣ−ＦＤＭＡシンボルを除くＳＣ−ＦＤＭＡシンボルが用いられることを特徴とする請求項５に記載の通信方法。 
【請求項７】
前記サブフレームが、前記ＰＵＣＣＨの送信が設定された前記要素周波数帯域のＳＲＳサブフレームである場合に、前記第１のフォーマットの前記ＰＵＣＣＨを送信して前記ＳＲＳを送信しないように制御し、または、前記第２のフォーマットの前記ＰＵＣＣＨと前記ＳＲＳを前記同一サブフレームで送信するように制御するステップと、 
前記サブフレームが、前記ＰＵＣＣＨの送信が設定された前記要素周波数帯域のＳＲＳサブフレームではない場合に、前記第１のフォーマットの前記ＰＵＣＣＨを送信して前記ＳＲＳを送信しないように制御するステップと、を少なくとも含むことを特徴とする請求項５または請求項６に記載の通信方法。 
【請求項８】
前記ＰＵＣＣＨは、スケジューリング要求または受信確認応答の送信に用いられるＰＵＣＣＨであることを特徴とする請求項５から請求項７のいずれかに記載の通信方法。 
【請求項９】
移動局装置に実装されることにより、前記移動局装置に複数の機能を発揮させる集積回路であって、 
予め定められた周波数帯域幅を有する要素周波数帯域を１個以上用いて信号の送信を行なう機能と、 
異なる要素周波数帯域でＳＲＳ（Sounding Reference Signal）の送信とＰＵＣＣＨ（Physical Uplink Control Channel）の送信とが同一サブフレームで設定された場合、前記サブフレームの２番目のスロットで系列長が４の直交系列が時間領域で乗算される第１のフォーマットの前記ＰＵＣＣＨを送信して前記ＳＲＳを送信しないように制御し、または、前記サブフレームの２番目のスロットで系列長が３の直交系列が時間領域で乗算される第２のフォーマットの前記ＰＵＣＣＨと前記ＳＲＳとを前記同一サブフレームで送信するように制御する機能と、を含む一連の機能を、前記移動局装置に発揮させることを特徴とする集積回路。 
【請求項１０】
前記第１のフォーマットはサブフレームの全てのＳＣ−ＦＤＭＡシンボルが用いられ、前記第２のフォーマットはサブフレームの最後のＳＣ−ＦＤＭＡシンボルを除くＳＣ−ＦＤＭＡシンボルが用いられることを特徴とする請求項９に記載の集積回路。 
【請求項１１】
前記サブフレームが、前記ＰＵＣＣＨの送信が設定された前記要素周波数帯域のＳＲＳサブフレームである場合に、前記第１のフォーマットの前記ＰＵＣＣＨを送信して前記ＳＲＳを送信しないように制御し、または、前記第２のフォーマットの前記ＰＵＣＣＨと前記ＳＲＳを前記同一サブフレームで送信するように制御する機能と、 
前記サブフレームが、前記ＰＵＣＣＨの送信が設定された前記要素周波数帯域のＳＲＳサブフレームではない場合に、前記第１のフォーマットの前記ＰＵＣＣＨを送信して前記ＳＲＳを送信しないように制御する機能と、を含む一連の機能を、前記移動局装置に発揮させることを特徴とする請求項９または請求項１０に記載の集積回路。 
【請求項１２】
前記ＰＵＣＣＨは、スケジューリング要求または受信確認応答の送信に用いられるＰＵＣＣＨであることを特徴とする請求項９から請求項１１のいずれかに記載の集積回路。 
【請求項１３】
複数の移動局装置および前記複数の移動局装置と予め定められた周波数帯域幅を有する要素周波数帯域を１個以上用いて信号の送受信を行なう基地局装置から構成される無線通信システムであって、 
前記基地局装置は、 
前記移動局装置から送信された信号を受信し、 
前記移動局装置は、 
異なる要素周波数帯域でＳＲＳ（Sounding Reference Signal）の送信とＰＵＣＣＨ（Physical Uplink Control Channel）の送信とが同一サブフレームで設定された場合、前記サブフレームの２番目のスロットで系列長が４の直交系列が時間領域で乗算される第１のフォーマットの前記ＰＵＣＣＨを送信して前記ＳＲＳを送信しないように制御し、または、前記サブフレームの２番目のスロットで系列長が３の直交系列が時間領域で乗算される第２のフォーマットの前記ＰＵＣＣＨと前記ＳＲＳとを前記同一サブフレームで送信するように制御し、 
前記制御に基づき、前記ＳＲＳおよび／または前記ＰＵＣＣＨを送信することを特徴とする無線通信システム。